(57)【要約】【課題】  鍵の押鍵操作時に回路基板に対する鍵の押鍵力を軽減して、装置全体の低コスト化を図ることができる鍵盤装置を提供する。【解決手段】  鍵盤シャーシ６上に複数の鍵７を上下方向に回転可能に設けると共に、この鍵盤シャーシ６上に第１、第２の各回路基板１７、２３を起立させて設け、この第１、第２の各回路基板１７、２３の各前面に、鍵７が押鍵操作された際に上下方向の押圧力を逃がしながら鍵７の前後方向にスイッチ動作するスイッチ部２６を設けた。従って、鍵７が押鍵操作された際に、第１、第２の各回路基板１７、２３に対する鍵７の押鍵力を軽減することができる。このため、第１、第２の各回路基板１７、２３に高い強度が要求されることがないほか、鍵盤シャーシ６の構造および第１、第２の各回路基板１７、２３の取付構造を簡素化することができ、装置全体の低コスト化を図ることができる。【選択図】        図２
2011257531.tif 000002
【特許請求の範囲】
【請求項１】
鍵盤シャーシと、
この鍵盤シャーシ上に上下方向に回転可能に設けられた鍵と、
前記鍵盤シャーシ上に起立して設けられた回路基板と、
この回路基板における前記鍵の前後方向に位置する一面に設けられ、前記鍵が押鍵操作された際に上下方向の押圧力を逃がしながら前記鍵の前後方向にスイッチ動作するスイッチ部と、
を備えていることを特徴とする鍵盤装置。
【請求項２】
前記スイッチ部は、前記鍵によって上方から押圧された際に下側に向けて弾性変形する第１変形部と、この第１変形部の弾性変形に伴って前記鍵の前後方向に弾性変形する第２変形部とを有する操作部を備えていることを特徴とする請求項１に記載の鍵盤装置。
【請求項３】
前記操作部は、前記鍵の押鍵操作に応じて時間差をもってそれぞれスイッチ動作する第１、第２の各操作部を備えていることを特徴とする請求項２に記載の鍵盤装置。
【請求項４】
前記スイッチ部には、押鍵操作された前記鍵が上方から当接する下限ストッパ部が設けられていることを特徴とする請求項１〜請求項３のいずれかに記載の鍵盤装置。
【請求項５】
前記回路基板の上部には、前記鍵の内部に挿入した状態で前記鍵を上下方向にガイドする鍵ガイド部が設けられていることを特徴とする請求項１〜請求項４のいずれかに記載の鍵盤装置。
【請求項６】
前記鍵は光透過性を有する合成樹脂からなり、前記回路基板には、前記鍵にその下側から光を照射する発光素子が前記鍵に対応して設けられていることを特徴とする請求項１〜請求項５のいずれかに記載の鍵盤装置。
【発明の詳細な説明】
【技術分野】
【０００１】
この発明は、電子ピアノや電子オルガンなどの電子鍵盤楽器に用いられる鍵盤装置に関する。
【背景技術】
【０００２】
従来、電子ピアノなどの鍵盤装置においては、特許文献１に記載されているように、鍵盤シャーシ上に複数の鍵をそれぞれ上下方向に回転可能に設けると共に、この鍵盤シャーシに回路基板をほぼ水平な状態で配置し、この回路基板上に鍵の押鍵操作に応じてスイッチ動作する複数のゴムスイッチを各鍵に対応させて設けた構成のものが知られている。
【先行技術文献】
【特許文献】
【０００３】
【特許文献１】特開２００１−３４２６８号公報
【０００４】
このような鍵盤装置では、回路基板上に設けられたゴムスイッチが、ゴムシートを備え、このゴムシートにドーム状の膨出部を形成した構成になっている。すなわち、このゴムスイッチは、鍵が押鍵操作された際に、鍵に設けられたスイッチ押圧部によってドーム状の膨出部が押圧されると、この膨出部が弾性変形し、その内部に設けられた可動接点が回路基板上に設けられた固定接点に接触することにより、押鍵操作に応じてスイッチ信号を出力するように構成されている。
【発明の概要】
【発明が解決しようとする課題】
【０００５】
しかしながら、このような従来の鍵盤装置では、鍵が押鍵操作された際に、鍵のスイッチ押圧部がゴムスイッチのドーム状の膨出部を押圧して弾性変形させる構成であるから、鍵が強く押鍵されると、その強い衝撃がゴムスイッチを介して鍵盤シャーシ上にほぼ水平な状態で配置された回路基板にそのまま加わるため、回路基板が大きく撓んで破損する虞がある。
【０００６】
このため、このような従来の鍵盤装置では、回路基板の厚みを厚くして回路基板の強度を高める必要があるほか、強い衝撃を回路基板で受け止めるために、回路基板を鍵盤シャーシに強固に取り付ける必要がある。これにより、鍵盤シャーシの構造が複雑になると共に、回路基板の取付構造も複雑になり、装置全体のコストが高くなるという問題がある。
【０００７】
この発明が解決しようとする課題は、鍵の押鍵操作時に回路基板に対する鍵の押鍵力を軽減して、装置全体の低コスト化を図ることができる鍵盤装置を提供することである。
【課題を解決するための手段】
【０００８】
この発明は、上記課題を解決するために、次のような構成要素を備えている。
請求項１に記載の発明は、鍵盤シャーシと、この鍵盤シャーシ上に上下方向に回転可能に設けられた鍵と、前記鍵盤シャーシ上に起立して設けられた回路基板と、この回路基板における前記鍵の前後方向に位置する一面に設けられ、前記鍵が押鍵操作された際に上下方向の押圧力を逃がしながら前記鍵の前後方向にスイッチ動作するスイッチ部と、を備えていることを特徴とする鍵盤装置である。
【０００９】
請求項２に記載の発明は、前記スイッチ部が、前記鍵によって上方から押圧された際に下側に向けて弾性変形する第１変形部と、この第１変形部の弾性変形に伴って前記鍵の前後方向に弾性変形する第２変形部とを有する操作部を備えていることを特徴とする請求項１に記載の鍵盤装置である。
【００１０】
請求項３に記載の発明は、前記操作部が、前記鍵の押鍵操作に応じて時間差をもってそれぞれスイッチ動作する第１、第２の各操作部を備えていることを特徴とする請求項２に記載の鍵盤装置である。
【００１１】
請求項４に記載の発明は、前記スイッチ部に、押鍵操作された前記鍵が上方から当接する下限ストッパ部が設けられていることを特徴とする請求項１〜請求項３のいずれかに記載の鍵盤装置である。
【００１２】
請求項５に記載の発明は、前記回路基板の上部に、前記鍵の内部に挿入した状態で前記鍵を上下方向にガイドする鍵ガイド部が設けられていることを特徴とする請求項１〜請求項４のいずれかに記載の鍵盤装置である。
【００１３】
請求項６に記載の発明は、前記鍵が光透過性を有する合成樹脂からなり、前記回路基板には、前記鍵にその下側から光を照射する発光素子が前記鍵に対応して設けられていることを特徴とする請求項１〜請求項５のいずれかに記載の鍵盤装置である。
【発明の効果】
【００１４】
この発明によれば、鍵が押鍵操作された際に、その鍵における上下方向の押鍵力をスイッチ部によって逃がすことができるので、鍵の押鍵力が回路基板にそのまま加わることがなく、回路基板に対する鍵の押鍵力を軽減することができる。このため、鍵を強く押鍵しても、その押圧力が回路基板にそのまま加わることがないので、回路基板に高い強度が要求されることがないほか、回路基板を鍵盤シャーシに取り付けるための鍵盤シャーシの構造および回路基板の取付構造を簡素化することができ、これにより装置全体の低コスト化を図ることができる。
【図面の簡単な説明】
【００１５】
【図１】この発明を電子鍵盤楽器に適用した実施形態１の平面図である。
【図２】図１に示された電子鍵盤楽器のＡ−Ａ矢視における要部を示した拡大断面図である。
【図３】図２に示された電子鍵盤楽器において、白鍵に対応する第１回路基板の箇所を示した要部の拡大断面図である。
【図４】図２に示された電子鍵盤楽器において、黒鍵に対応する第２回路基板の箇所を示した要部の拡大断面図である。
【図５】図２に示された電子鍵盤楽器における第１、第２の各回路基板に設けられたスイッチ部を斜め後方から見た状態を示した要部の拡大斜視図である。
【図６】図５に示されたスイッチ部を斜め前方から見た状態を示した要部の拡大斜視図である。
【図７】図６に示されたスイッチ部を示し、（ａ）はそのスイッチ部の拡大側面図、（ｂ）はそのスイッチ部の第１操作部が押圧された状態を示した拡大側面図、（ｃ）は第１、第２の各回路基板における第１、第２の各固定接点を示した要部の拡大斜視図である。
【図８】この発明を電子鍵盤楽器に適用した実施形態２において、要部を示した拡大断面図である。
【図９】図８に示された電子鍵盤楽器において、白鍵に対応する第１回路基板の箇所を示した要部の拡大断面図である。
【図１０】図８に示された電子鍵盤楽器において、黒鍵に対応する第２回路基板の箇所を示した要部の拡大断面図である。
【図１１】図８に示された電子鍵盤楽器における第１、第２の各回路基板に設けられたスイッチ部を斜め後方から見た状態を示した要部の拡大斜視図である。
【図１２】図９に示された電子鍵盤楽器のＢ−Ｂ矢視における要部を示した拡大断面図である。
【発明を実施するための形態】
【００１６】
（実施形態１）
以下、図１〜図７を参照して、この発明を電子鍵盤楽器に適用した実施形態１について説明する。
この電子鍵盤楽器は、図１に示すように、楽器本体１を備えている。この楽器本体１の手前側（図１では下部側）には、鍵盤部２が設けられており、この楽器本体１における鍵盤部２の後部側（図１では上部側）には、スピーカ部３、表示部４、およびスイッチ部５が設けられている。
【００１７】
スピーカ部３は、楽音を発音するためのものであり、図１に示すように、鍵盤部２の後部側（図１では上部側）に位置する楽器本体１の両側に設けられている。表示部４は、楽音情報を表示するためのものであり、鍵盤部２の後部側に位置する楽器本体１の中間部に設けられている。スイッチ部５は、音量調整や音色選択などの各種のスイッチを備え、鍵盤部２の後部側に位置する楽器本体１における両側のスピーカ部３の間に表示部４を除いて分散して設けられている。
【００１８】
鍵盤部２は、図１および図２に示すように、楽器本体１の下部ケースを兼ねる鍵盤シャーシ６上に白鍵７ａおよび黒鍵７ｂからなる多数の鍵７が配列された構成になっている。鍵盤シャーシ６の前部側（図２では左側部）には、図２に示すように、白鍵７ａの前端部における下部側を覆う前カバー部８が形成されている。この前カバー部８の後側下部（図２では右側下部）に位置する鍵盤シャーシ６の箇所には、後述する白鍵用の第１基板搭載部１０が設けられている。
【００１９】
この第１基板搭載部１０の後方に位置する鍵盤シャーシ６のほぼ中間部には、図２に示すように、後述する黒鍵用の第２基板搭載部１１が上方に位置して設けられている。この黒鍵用の第２基板搭載部１１の更に後方（図２では右側部）に位置する鍵盤シャーシ６の後端部には、各鍵７の後端部（図２では右端部）を支持する鍵支持部１２が上方に位置して設けられている。
【００２０】
一方、複数の鍵７のうち、複数の白鍵７ａは、それぞれ光透過性を有する白色の合成樹脂からなり、図２および図３に示すように、その内部が中空状に形成されている。この白鍵７ａは、その後端部（図２では右端部）に各白鍵７ａをそれぞれ上下方向に回転変位させるための薄肉形状の屈曲部１４が撓み変形可能に形成されていると共に、この屈曲部１４の後端部に複数の白鍵７ａの配列方向（図２では紙面の表裏面方向）に沿って各屈曲部１４を順次連結する共通連結部１３が形成された構成になっている。
【００２１】
また、複数の黒鍵７ｂも、白鍵７ａと同様、それぞれ光透過性を有する黒色の合成樹脂からなり、図２および図４に示すように、その内部が中空状に形成されている。この黒鍵７ｂも、その後端部（図２では右端部）に各黒鍵７ｂをそれぞれ上下方向に回転変位させるための薄肉形状の屈曲部１６が撓み変形可能に形成されていると共に、この屈曲部１６の後端部に複数の黒鍵７ｂの配列方向（図２では紙面の表裏面方向）に沿って各屈曲部１６を順次連結する共通連結部１５が形成された構成になっている。
【００２２】
これにより、複数の鍵７は、図２に示すように、白鍵７ａの共通連結部１３を黒鍵７ｂの共通連結部１５上に重ね合わせ、この状態で両者の共通連結部１３、１５を鍵盤シャーシ６の後端部に設けられた鍵支持部１２上に取り付けることにより、図１および図２に示すように、複数の白鍵７ａおよび複数の黒鍵７ｂが鍵盤シャーシ６上に配列された状態で、上下方向に回転可能に取り付けられている。
【００２３】
すなわち、複数の鍵７は、図２および図３に示すように、複数の白鍵７ａがそれぞれ押鍵された際に、複数の白鍵７ａが各屈曲部１４の撓み変形によってそれぞれ上下方向に回転変位すると共に、図２および図４に示すように、複数の黒鍵７ｂがそれぞれ押鍵された際に、複数の黒鍵７ｂが各屈曲部１６の撓み変形によってそれぞれ上下方向に回転変位するように構成されている。
【００２４】
ところで、鍵盤シャーシ６の第１基板搭載部１０には、図２および図３に示すように、白鍵用の第１回路基板１７が起立して取り付けられている。この場合、第１基板搭載部１０は、白鍵７ａの配列方向に沿って連続して形成されている。また、この第１基板搭載部１０は、鍵盤シャーシ６に設けられた一対の立上り部１０ａ、１０ｂと、これらの上部に設けられた連結部１０ｃと、前側（図３では左側）の立上り部１０ａの前面に設けられたねじ取付部１８とを備えている。
【００２５】
一対の立上り部１０ａ、１０ｂおよび連結部１０ｃは、図３に示すように、鍵盤シャーシ６に白鍵７ａの配列方向（図３では紙面の表裏面方向）に沿って連続して設けられている。この場合、一対の立上り部１０ａ、１０ｂは、図３に示すように、鍵盤シャーシ６に前後方向（図３では左右方向に）に所定間隔、つまり後述する第１回路基板１７の厚みに相当する長さだけ離れて設けられている。
【００２６】
これにより、一対の立上り部１０ａ、１０ｂは、図３に示すように、その間に第１回路基板１７が鍵盤シャーシ６の上側から挿入するように構成されている。この場合、連結部１０ｃには、第１回路基板１７の下部に設けられた複数の挿入取付部１９がそれぞれ上側から挿入する複数の挿入孔２０が白鍵７ａの配列方向に沿って所定間隔で設けられている。
【００２７】
また、ねじ取付部１８は、図２および図３に示すように、前側（図３では左側）の立上り部１０ａの前面に上下方向に沿って設けられたボス部１８ａと、このボス部１８ａに設けられて下側に開放されたねじ穴１８ｂとで構成されている。このねじ取付部１８は、ビス２１がワッシャーなどの押え板２２を介してボス部１８ａの下側からねじ穴１８ｂに螺入して締め付けられることにより、第１回路基板１７の下端部を押え板２２で下側から押えるように構成されている。
【００２８】
これにより、白鍵用の第１基板搭載部１０は、図３に示すように、第１回路基板１７の下部を一対の立上り部１０ａ、１０ｂ間に上方から挿入する際に、第１回路基板１７の下部に設けられた各挿入取付部１９が、連結部１０ｃに設けられた各挿入孔２０にそれぞれ上方から挿入することにより、第１回路基板１７が鍵盤シャーシ６に起立して配置されるように構成されている。
【００２９】
また、この第１基板搭載部１０は、図３に示すように、ねじ取付部１８のボス部１８ａの下面にワッシャーなどの押え板２２を配置し、この押え板２２の下側からビス２１をボス部１８ａのねじ穴１８ｂに螺入して締め付けることにより、押え板２２をボス部１８ａの下部に取り付けると共に、この押え板２２によって第１回路基板１７の下端部を下側から押え付けることにより、第１回路基板１７を鍵盤シャーシ６に起立させた状態で取り付けるように構成されている。
【００３０】
一方、鍵盤シャーシ６の第２基板取付部１１には、図２および図４に示すように、黒鍵用の第２回路基板２３が起立した状態で取り付けられている。すなわち、この第２基板取付部１１は、鍵盤シャーシ６に設けられた一対の立上り部１１ａ、１１ｂと、これらの上部にその上端部から少し下がった位置に設けられた連結部１１ｃと、この連結部１１ｃの上部に設けられたねじ取付部２４とを備えている。
【００３１】
一対の立上り部１１ａ、１１ｂおよび連結部１１ｃは、図２および図４に示すように、鍵盤シャーシ６上に黒鍵７ｂの配列方向（図２では紙面の表裏面方向）に沿って連続して設けられている。この場合、一対の立上り部１１ａ、１１ｂは、図４に示すように、鍵盤シャーシ６上に前後方向（図４では左右方向）に所定間隔、つまり後述するビス２５の長さに相当する長さだけ離れて設けられている。
【００３２】
連結部１１ｃは、図４に示すように、一対の立上り部１１ａ、１１ｂの各上端部から下側に所定長さ、つまり後述するビス２５の頭部の外径に相当する長さだけ離れた位置に設けられている。また、ねじ取付部２４は、連結部１１ｃの両側上方に向けて突出して設けられた一対のリブ２４ａ間に、半円筒状のねじ孔２４ｂが上側に開放された状態で設けられた構成になっている。
【００３３】
このねじ孔２４ｂは、図４に示すように、連結部１１ｃの上面および一対のリブ２４ａの上部内面にねじ溝が形成された構成になっている。このねじ取付部２４も、第１基板搭載部１０のねじ取付部１８と同様、黒鍵７ｂの配列方向（図４では紙面の表裏面方向）に沿って所定間隔で設けられ、そのねじ孔２４ｂにビス２５が前側（図４では左側）から螺着するように構成されている。
【００３４】
これにより、黒鍵用の第２基板搭載部１１は、図２および図４に示すように、第２回路基板２３の下部が前側（図４では左側）に位置する立上り部１１ａの前面に沿って配置された状態で、第２回路基板２３が鍵盤シャーシ６の上方に突出してほぼ垂直に起立した状態で配置されるように構成されている。
【００３５】
また、この第２基板搭載部１１は、図４に示すように、第２回路基板２３の前面側（図４では左側）からビス２５を連結部１１ｃのねじ取付部２４のねじ孔２４ｂに螺入させて締め付けることにより、第１回路基板２３を前側の立上り部１１ａの前面にほぼ垂直に起立させた状態で取り付けるように構成されている。
【００３６】
ところで、第１基板搭載部１０に取り付けられた第１回路基板１７、および第２基板搭載部１１に取り付けられた第２回路基板２３には、図２〜図４に示すように、各鍵７の押鍵操作に応じてそれぞれスイッチ動作する複数のスイッチ部２６が鍵７の配列方向（図２では紙面の表裏面方向）に沿って設けられている。
【００３７】
すなわち、第１回路基板１７の前面（図３では左側面）には、図２および図３に示すように、複数のスイッチ部２６が各白鍵７ａにそれぞれ対応して設けられている。また、第２回路基板２３の前面（図４では左側面）には、図２および図４に示すように、複数のスイッチ部２６が各黒鍵７ｂにそれぞれ対応して設けられている。
【００３８】
この場合、複数の鍵７には、図２〜図４に示すように、複数のスイッチ部２６をそれぞれ押圧するスイッチ押圧部２７が各鍵７の下側に突出して設けられている。すなわち、複数の鍵７のうち、複数の白鍵７ａには、図３に示すように、それぞれスイッチ押圧部２７が第１回路基板１７の前面に設けられた複数のスイッチ部２６にそれぞれ対応して設けられている。また、複数の黒鍵７ｂには、図４に示すように、それぞれスイッチ押圧部２７が第２回路基板２３の前面に設けられた複数のスイッチ部２６にそれぞれ対応して設けられている。
【００３９】
複数のスイッチ部２６は、ゴムなどの弾力を有する合成樹脂からなり、図２〜図４に示すように、複数の鍵７の各スイッチ押圧部２７によってスイッチ動作するように構成されている。すなわち、この複数のスイッチ部２６は、図５および図６に示すように、第１、第２の各回路基板１７、２３の前面（図２では左側面）に、各鍵７に対応して鍵７の配列方向に沿って連結された状態で設けられている。
【００４０】
この場合、スイッチ部２６は、鍵７の押鍵操作に応じて時間差をもってそれぞれスイッチ動作する第１、第２の各操作部２８、２９を備えている。すなわち、複数の鍵７のうち、白鍵７ａに対応するスイッチ部２６の第１操作部２８は、図５〜図７に示すように、各白鍵７ａのスイッチ押圧部２７によって押圧される。この第１操作部２８は、白鍵７ａのスイッチ押圧部２７によって上方から押圧された際に下側に弾性変形する上下変形部２８ａと、この上下変形部２８ａの弾性変形に伴って白鍵７ａの前後方向に弾性変形する前後変形部２８ｂと、この前後変形部２８ｂを第１回路基板１７に変形可能な状態で取り付けるための連結取付部３０とを備えている。
【００４１】
この場合、連結取付部３０は、図５〜図７（ａ）に示すように、前後変形部２８ｂの後面上部（図５では右側面の上部）に形成され、前後変形部２８ｂを第１回路基板１７の各前面（図６では左側面）から前側に少し離した状態で支持するように構成されている。上下変形部２８ａは、連結取付部３０の下側に位置する前後変形部２８ｂの前面（図６では左側面）から鍵７の前側（図３では左側）に向けて突出して形成され、この突出した部分が白鍵７ａのスイッチ押圧部２７によって上方から押圧されると、下側に撓み変形するように形成されている。
【００４２】
また、前後変形部２８ｂは、図５〜図７（ａ）に示すように、連結取付部３０の前面（図５では左側面）から下側に向けて延出され、この延出された下部が第１回路基板１７の前面に向けて突出し、この突出した先端面が第１回路基板１７の前面に接離可能に接近した状態で配置されている。この場合、前後変形部２８ｂに対する上下変形部２８ａの上面おける付け根部には、図６および図７（ａ）に示すように、切込溝部２８ｃが設けられている。また、この上下変形部２８ａの下面に対する前後変形部２８ｂの後面（図６では右側面）の箇所にも、切込溝部２８ｄが設けられている。
【００４３】
前後変形部２８ｂにおける第１回路基板１７の前面に対面する先端部には、図６に示すように、カーボンなどの導電性材料からなる可動接点３１が設けられている。この可動接点３１が対面する第１回路基板１７の前面には、図６および図７（ｃ）に示すように、固定接点３２が設けられている。この固定接点３２は、カーボンインクなどの導電性インクを印刷することにより、第１回路基板１７に設けられている。
【００４４】
これにより、第１操作部２８は、図７（ａ）〜図７（ｃ）に示すように、白鍵７ａが押鍵操作されて白鍵７ａのスイッチ押圧部２７によって上下変形部２８ａが上方から押圧されると、この上下変形部２８ａが下側に撓み変形することにより、スイッチ押圧部２７の押圧力を逃がしながら、前後変形部２８ｂを第１回路基板１７の前面に向けて弾性変形させ、これにより上下方向の押圧力を白鍵７ａの前後方向に分散させてスイッチ動作するように構成されている。
【００４５】
すなわち、この第１操作部２８は、図７（ａ）〜図７（ｃ）に示すように、上下変形部２８ａが白鍵７ａのスイッチ押圧部２７によって上方から押圧されると、この上下変形部２８ａが切込溝部２８ｃ、２８ｄによって下側に容易に撓み変形することにより、白鍵７ａのスイッチ押圧部２７による上方からの押圧力を逃がし、この上下変形部２８ａの撓み変形に伴って前後変形部２８ｂが切込溝部２８ｄによって第１回路基板１７の前面に向けて容易に弾性変形し、この前後変形部２８ｂの弾性変形によって可動接点３１が第１回路基板１７の固定接点３２に接触することにより、オン信号を出力するように構成されている。
【００４６】
一方、白鍵７ａに対応するスイッチ部２６の第２操作部２９も、第１操作部２８と同様、各白鍵７ａのスイッチ押圧部２７によって押圧される。この第２操作部２９も、白鍵７ａのスイッチ押圧部２７によって上方から押圧された際に下側に弾性変形する上下変形部２９ａと、この上下変形部２９ａの弾性変形に伴って白鍵７ａの前後方向に弾性変形する前後前後変形部２９ｂと、この前後前後変形部２９ｂを第１回路基板１７に変形可能な状態で取り付けるための連結取付部３０とを備えている。
【００４７】
この場合、上下変形部２９ａは、図６および図７（ａ）に示すように、その上面の高さが第１操作部２８の上下変形部２８ａよりも低く形成されている。すなわち、第１操作部２８の上下変形部２８ａは、その上下方向の厚みが、第２操作部２９の上下方向の厚みよりも厚く形成されている。これにより、第１操作部２８の上下変形部２８ａは、その上面が第２操作部２９の上下変形部２９ａの上面よりも上方に位置するように構成されている。
【００４８】
この場合にも、第２操作部２９の前後変形部２９ｂに対する上下変形部２９ａの上面おける付け根部にも、図６および図７（ａ）に示すように、切込溝部２９ｃが設けられている。また、この上下変形部２９ａの下面に対する前後変形部２９ｂの後面（図６では右側面）の箇所にも、切込溝部２９ｄが設けられている。
【００４９】
さらに、第２操作部２９の前後変形部２９ｂにおける第１回路基板１７の前面に対面する先端部にも、カーボンなどの導電性材料からなる可動接点３４が設けられている。この可動接点３４が対面する第１回路基板１７の前面には、図６および図７（ｃ）に示すように、固定接点３５が第１操作部２８の固定接点３２に隣接して設けられている。この固定接点３５も、カーボンインクなどの導電性インクを印刷することにより、第１回路基板１７に設けられている。
【００５０】
これにより、第２操作部２９は、図７（ａ）〜図７（ｃ）に示すように、白鍵７ａが押鍵操作されて白鍵７ａのスイッチ押圧部２７によって第２操作部３３の上下変形部２９ａが上方から押圧される際に、まず、第１操作部２８の上下変形部２８ａが上方から押圧されて、第１操作部２８の前後変形部２８ｂが第１回路基板１７の前面に向けて弾性変形した後に、白鍵７ａのスイッチ押圧部２７によって第２操作部２９の上下変形部２９ａが押圧されて、第２操作部２９の前後変形部２９ｂが第１回路基板１７の前面に向けて弾性変形することにより、第１操作部２８よりも少し遅れてスイッチ動作するように構成されている。
【００５１】
この場合、第２操作部２９は、上下変形部２９ａが白鍵７ａのスイッチ押圧部２７によって上方から押圧されると、この上下変形部２９ａが切込溝部２９ｃ、２９ｄによって下側に容易に撓み変形し、この上下変形部２９ａの撓み変形に伴って前後変形部２９ｂが切込溝部２９ｄによって第１回路基板１７の前面に向けて容易に弾性変形し、この前後変形部２９ｂの弾性変形によって可動接点３４が第１回路基板１７の固定接点３５に接触することにより、第１操作部２８よりも少し遅れてオン信号を出力するように構成されている。
【００５２】
これにより、白鍵７ａに対応するスイッチ部２６は、第１操作部２８の可動接点３１がこれに対する第１回路基板１７の固定接点３２に接触した後に、時間差をもって第２操作部２９の可動接点３４がこれに対する第１回路基板１７の固定接点３５に接触することにより、白鍵７ａの押鍵強さ、つまり押鍵速度に応じたベロシティを検出するように構成されている。
【００５３】
同様に、黒鍵７ｂに対応するスイッチ部２６の第１操作部２８は、白鍵７ａと同様、各黒鍵７ｂのスイッチ押圧部２７によって押圧される。この黒鍵用の第１操作部２８も、黒鍵７ｂのスイッチ押圧部２７によって上方に押圧された際に下側に向けて弾性変形する上下変形部２８ａと、この上下変形部２８ａの弾性変形に伴って黒鍵７ｂの前後方向に弾性変形する前後変形部２８ｂと、この前後変形部２８ｂを第２回路基板２３に変形可能な状態で取り付けるための連結取付部３０とを備えている。
【００５４】
この場合にも、前後変形部２８ｂは、図５〜図７（ａ）に示すように、連結取付部３０から下側に向けて延出され、この延出された下部が第２回路基板２３の前面に向けて突出し、この突出した先端面が第２回路基板２３の前面に接離可能に接近した状態で配置されている。また、この場合にも、前後変形部２８ｂに対する上下変形部２８ａの上面おける付け根部には、図６および図７（ａ）に示すように、切込溝部２８ｃが設けられている。また、この上下変形部２８ａの下面に対する前後変形部２８ｂの後面（図６では右側面）の箇所にも、切込溝部２８ｄが設けられている。
【００５５】
前後変形部２８ｂにおける第２回路基板２３の前面に対面する先端部には、図６に示すように、カーボンなどの導電性材料からなる可動接点３１が設けられている。この可動接点３１が対面する第２回路基板２３の前面には、図６および図７（ｃ）に示すように、固定接点３２が設けられている。この固定接点３２は、カーボンインクなどの導電性インクを印刷することにより、第２回路基板２３に設けられている。
【００５６】
これにより、黒鍵用の第１操作部２８は、白鍵７ａの第１操作部２８と同様、黒鍵７ｂが押鍵操作されて黒鍵７ｂのスイッチ押圧部２７によって第１操作部３０の上下変形部２８ａが上方から押圧されると、この上下変形部２８ａが下側に撓み変形することにより、スイッチ押圧部２７による上方からの押圧力を逃がしながら、前後変形部２８ｂが第２回路基板２３の前面に向けて弾性変形し、これにより上下方向の押圧力を黒鍵７ｂの前後方向に分散させてスイッチ動作するように構成されている。
【００５７】
一方、黒鍵７ｂに対応するスイッチ部２６の第２操作部２９も、黒鍵７ｂの第１操作部２８と同様、各黒鍵７ｂのスイッチ押圧部２７によって押圧される。この黒鍵用の第２操作部２９は、黒鍵７ｂのスイッチ押圧部２７によって上方から押圧された際に下側に向けて弾性変形する上下変形部２９ａと、この上下変形部２９ａの弾性変形に伴って黒鍵７ｂの前後方向に弾性変形する前後変形部２９ｂと、この前後変形部２９ｂを第２回路基板２３に変形可能な状態で取り付けるための連結取付部３０とを備えている。
【００５８】
この場合にも、上下変形部２９ａは、図７（ａ）に示すように、その上面の高さが第１操作部２８の上下変形部２８ａよりも低く形成されている。すなわち、第１操作部２８の上下変形部２８ａは、その上下方向の厚みが、第２操作部２９の上下方向の厚みよりも厚く形成されている。これにより、第１操作部２８の上下変形部２８ａは、その上面が第２操作部２９の上下変形部２９ａの上面よりも上方に位置するように構成されている。
【００５９】
また、この場合にも、第２操作部２９の前後変形部２９ｂに対する上下変形部２９ａの上面おける付け根部にも、図６および図７（ａ）に示すように、切込溝部２９ｃが設けられている。また、この上下変形部２９ａの下面に対する前後変形部２９ｂの後面（図６では右側面）の箇所にも、切込溝部２９ｄが設けられている。
【００６０】
さらに、第２操作部２９の前後変形部２９ｂにおける第２回路基板２３の前面に対面する先端部にも、カーボンなどの導電性材料からなる可動接点３４が設けられている。この可動接点３４が対面する第２回路基板２３の前面には、図６および図７（ｃ）に示すように、固定接点３５が第１操作部２８の固定接点３２に隣接して設けられている。この固定接点３５も、カーボンインクなどの導電性インクを印刷することにより、第２回路基板２３に設けられている。
【００６１】
これにより、黒鍵用の第２操作部２９は、図７（ａ）〜図７（ｃ）に示すように、黒鍵７ｂが押鍵操作されて黒鍵７ｂのスイッチ押圧部２７によって上下変形部２９ａが上方から押圧される際に、まず、第１操作部２８の上下変形部２８ａが上方から押圧されて、前後変形部２８ｂが第２回路基板２３の前面に向けて変形した後に、第２操作部２９の上下変形部２９ａが押圧されて弾性変形し、これに伴って前後変形部２９ｂが第２回路基板２３の前面に向けて変形することにより、第１操作部２８よりも少し遅れてスイッチ動作するように構成されている。
【００６２】
この場合にも、黒鍵用の第２操作部２９は、上下変形部２９ａが黒鍵７ｂのスイッチ押圧部２７によって上方から押圧されると、この上下変形部２９ａが切込溝部２９ｃによって下側に容易に撓み変形し、この上下変形部２９ａの撓み変形に伴って前後変形部２９ｂが第２回路基板２３の前面に向けて弾性変形し、この前後変形部２９ｂの可動接点３４が第２回路基板２３の固定接点３５に接触することにより、第１操作部２８よりも少し遅れてオン信号を出力するように構成されている。
【００６３】
これにより、黒鍵７ｂに対応するスイッチ部２６は、第１操作部２８の可動接点３１がこれに対する第２回路基板２３の固定接点３２に接触した後に、時間差をもって第２操作部２９の可動接点３４がこれに対する第２回路基板２３の固定接点３５に接触することにより、黒鍵７ｂの押鍵強さ、つまり押鍵速度に応じたベロシティを検出するように構成されている。
【００６４】
また、複数のスイッチ部２６には、図２〜図４に示すように、各鍵７が押鍵操作された際に、各鍵７のスイッチ押圧部２７の後面（図３では右側面）に形成された当接部３６が上方から当接する下限ストッパ部３７が設けられている。この下限ストッパ部３７は、図５および図６に示すように、スイッチ部２６と同じ、ゴムなどの弾性を有する材料からなり、スイッチ部２６の上部に連続して一体に形成されている。
【００６５】
すなわち、この下限ストパ部３７は、図５および図６に示すように、下側に向けて装着溝３８ａが開放された断面逆凹形のレール状に形成され、この装着溝３８ａに第１、第２の各回路基板１７、２３の各上端部がそれぞれ下方から装着することにより、第１、第２の各回路基板１７、２３の各上端部にスイッチ部２６と共に取り付けられるように構成されている。
【００６６】
この場合、スイッチ押圧部２７の当接部３６は、図２〜図４に示すように、鍵７が押鍵操作されてスイッチ押圧部２７がスイッチ部２６を押圧し、第１、第２の各操作部２８、２９が順次スイッチ動作した後に、下限ストッパ部３７に当接することにより、鍵７の下限位置を規制するように構成されている。
【００６７】
また、第１、第２の各回路基板１７、２３のうち、第２回路基板２３は、その下端部が鍵７の上限位置を規制する上限ストッパ部３８に構成されている。この場合、複数の鍵７には、図２および図４に示すように、それぞれ位置規制部３９が各鍵７の下側に突出して設けられている。すなわち、複数の鍵７のうち、白鍵７ａには、黒鍵７ｂの前端部（図２では左端部）に位置するほぼ中間部に位置規制部３９が設けられており、黒鍵７ｂには、その前端部（図２では左端部）に位置規制部３９が設けられている。
【００６８】
この位置規制部３９の下端部には、図２および図４に示すように、鍵７の後方（図２では右側）に向けて突出したフック部３９ａがそれぞれ設けられている。これにより、各鍵７は、押鍵された鍵７が初期位置に戻る際に、各位置規制部３９のフック部３９ａが、第２回路基板２３の下端部の上限ストッパ部３８に、その下側からそれぞれ当接することにより、鍵７の上限位置をそれぞれ規制して鍵７を初期位置に規制するように構成されている。
【００６９】
さらに、第１、第２の各回路基板１７、２３には、各鍵７にその下側から光を照射させための複数の発光素子４０がそれぞれ設けられている。すなわち、複数の発光素子４０は、それぞれほぼ直方体のチップ形状に形成され、その一側面である上面のみから光を発光する側面発光ダイオードであり、第１、第２の各回路基板１７の前面と後面とにおける各スイッチ部２６の下側に位置する箇所に各鍵７に対応して設けられている。また、この複数の発光素子４０は、選択的に発光して鍵７にその下側から光を照射させて鍵７を光らせることにより、押鍵操作すべき鍵７を指示するように構成されている。
【００７０】
次に、このような電子鍵盤楽器の作用について説明する。
この電子鍵盤楽器で演奏する場合には、その演奏に応じて各鍵７を押鍵する際に、その押鍵すべき鍵７に対応する発光素子４０を順次発光させて、押鍵すべき鍵７を順次光らせる。例えば、押鍵すべき鍵７が複数の白鍵７ａのいずれかである場合には、第１回路基板１７に設けられた各発光素子４０のうち、押鍵すべき白鍵７ａに対応する発光素子４０を発光させる。すると、その発光素子４０の光が白鍵７ａの前側内部に照射され、この照射された光の一部が白鍵７ａを透過することにより、白鍵７ａの前部側が光る。
【００７１】
また、押鍵すべき鍵７が複数の黒鍵７ｂのいずれかである場合には、第２回路基板２３に設けられた各発光素子４０のうち、押鍵すべきその黒鍵７ｂに対応する発光素子４０を発光させる。すると、その発光素子４０の光が黒鍵７ｂの前側内部に照射され、この照射された光の一部が黒鍵７ｂを透過することにより、黒鍵７ｂの前部側が光る。これにより、演奏に応じて押鍵すべき鍵７を順次光らせることができるので、演奏者が初心者であっても、良好に演奏することができる。
【００７２】
このように、押鍵すべき鍵７が光っている状態で、各鍵７を演奏者が指で押鍵すると、各鍵７が図２において反時計回りに回転し、この鍵７のスイッチ押圧部２７がスイッチ部２６を押圧してスイッチ動作する。例えば、複数の鍵７のうち、白鍵７ａを押鍵操作すると、白鍵７ａが屈曲部１４を中心に反時計回りに回転する。すると、この白鍵７ａのスイッチ押圧部２７が第１回路基板１７に設けられたスイッチ部２６を押圧してスイッチ動作する。
【００７３】
このときには、白鍵７ａのスイッチ押圧部２７が第１回路基板１７のスイッチ部２６を押圧する。すると、スイッチ部２６の第１、第２の各操作部２８、２９のうち、第１操作部２８がスイッチ押圧部２７によって押圧された後に、第２操作部２９がスイッチ押圧部２７によって少し遅れて押圧される。このため、まず、第１操作部２８の上下変形部２８ａがスイッチ押圧部２７によって下側に押圧され、この上下変形部２８ａが下側に撓み変形すると共に、この上下変形部２８ａの撓み変形に伴って前後変形部２８ｂが白鍵７ａの後方に向けて押されるので、前後変形部２８ｂが同方向に弾性変形する。
【００７４】
このときには、上下変形部２８ａが切込溝部２８ｃ、２８ｄによって下側に向けて容易に撓み変形すると共に、この上下変形部２８ａの撓み変形に伴って前後変形部２８ｂが切込溝部２８ｄによって白鍵ａの前後方向に容易に弾性変形する。このため、上下変形部２８ａの下側への撓み変形が、前後変形部２８ｂによって白鍵７ａの後方への弾性変形に変換されることにより、スイッチ押圧部２７による上方からの押圧力をある程度逃がすことができる。
【００７５】
このように第１操作部２８が変形した後に、第２操作部２９がスイッチ押圧部２７によって押圧される。このときには、第２操作部２９の上下変形部２９ａがスイッチ押圧部２７によって下側に押圧されるので、この上下変形部２９ａが下側に撓み変形すると共に、この上下変形部２９ａの撓み変形に伴って前後変形部２９ｂが白鍵７ａの後方に向けて押されるので、前後変形部２９ｂが同方向に弾性変形する。
【００７６】
このときにも、上下変形部２９ａが切込溝部２９ｃ、２９ｄによって下側に向けて容易に撓み変形すると共に、この上下変形部２９ａの撓み変形に伴って前後変形部２９ｂが切込溝部２９ｄによって白鍵７ａの前後方向に容易に弾性変形する。このため、上下変形部２９ａの下側への撓み変形が、前後変形部２９ｂによって白鍵７ａの後方への弾性変形に変形されることにより、スイッチ押圧部２７による上方からの押圧力をある程度逃がすことができる。
【００７７】
このように、第１、第２の各操作部２８、２９がスイッチ押圧部２７によって順次押圧されると、まず、第１操作部２８の前後変形部２８ｂの先端部に設けられた可動接点３１が第１回路基板１７の固定接点３２に接触し、この後、時間差をもって第２操作部２９の前後変形部２９ｂの先端部に設けられた可動接点３４が第１回路基板１７の固定接点３５に接触する。これにより、スイッチ信号が得られ、白鍵７ａの押鍵操作に応じたベロシティが検出される。
【００７８】
同様に、黒鍵７ｂを押鍵操作した際には、白鍵７ａの場合と同様、第２回路基板２３に設けられたスイッチ部２６の第１、第２の各操作部２８、２９のうち、第１操作部２８がスイッチ押圧部２７によって押圧された後に、第２操作部２９がスイッチ押圧部２７によって少し遅れて押圧される。
【００７９】
このため、第１、第２の各操作部２８、２９がスイッチ押圧部２７によって順次押圧されるので、まず、第１操作部２８の前後変形部２８ｂの先端部に設けられた可動接点３１が第２回路基板２３の固定接点３２に接触し、この後、時間差をもって第２操作部２９の前後変形部２９ｂの先端部に設けられた可動接点３４が第２回路基板２３の固定接点３５に接触する。これにより、黒鍵７ｂの押鍵操作に応じたスイッチ信号が得られ、黒鍵７ｂの押鍵操作に応じたベロシティが検出される。
【００８０】
このように、この電子鍵盤楽器によれば、鍵盤シャーシ６上に起立して設けられた第１、第２の各回路基板１７、２３の各前面に、鍵盤シャーシ６上に上下方向に回転可能に設けられた鍵７が押鍵操作された際に、この鍵７による上下方向の押圧力を逃がしながら鍵７の前後方向にスイッチ動作するスイッチ部２６を設けた構成であるから、鍵７の押鍵操作時に第１、第２の各回路基板１７、２３に対する鍵７の押鍵力を軽減することができる。
【００８１】
すなわち、この電子鍵盤楽器によれば、鍵７が押鍵操作された際に、その鍵７による上下方向の押鍵力をスイッチ部２６によって逃がすことができるので、鍵７の押鍵力が第１、第２の各回路基板１７、２３にそのまま加わることがなく、第１、第２の各回路基板１７、２３に対する鍵７の押鍵力を軽減することができる。
【００８２】
このため、鍵７を強く押鍵しても、その押圧力が第１、第２の各回路基板１７、２３にそのまま加わることがないので、第１、第２の各回路基板１７、２３に高い強度が要求されることがないほか、第１、第２の各回路基板１７、２３を鍵盤シャーシ６に取り付けるための鍵盤シャーシ６の構造および第１、第２の各回路基板１７、２３の取付構造を簡素化することができ、これにより装置全体の低コスト化を図ることができる。
【００８３】
この場合、スイッチ部２６は、ゴムなどの弾力を有する合成樹脂からなり、第１、第２の各回路基板１７、２３に各鍵７に対応して設けられ、複数の鍵７の各スイッチ押圧部２７によってスイッチ動作するように構成されているので、鍵７が押鍵操作された際に、この鍵７による上下方向の押圧力をスイッチ部２６が弾力的に逃がしながら鍵７の前後方向にスイッチ動作させることができ、これにより鍵７の押鍵操作時に第１、第２の各回路基板１７、２３に対する鍵７の押鍵力を確実に軽減することができる。
【００８４】
また、このスイッチ部２６は、鍵７のスイッチ押圧部２７によって押圧される第１、第２の各操作部２８、２９を備えており、この第１、第２の各操作部２８、２９が、鍵７のスイッチ押圧部２７によって上方から押圧された際に下側に弾性変形する上下変形部２８ａ、２９ａと、この上下変形部２８ａ、２９ａの弾性変形に伴って鍵７の前後方向に弾性変形する前後変形部２８ｂ、２９ｂと、を備えているので、鍵７による上下方向の押圧力を上下変形部２８ａ、２９ａによって弾力的に逃がしながら前後変形部２８ｂ、２９を鍵７の前後方向に良好に弾性変形させてスイッチ動作させることができる。
【００８５】
この場合、鍵７のスイッチ押圧部２７によって上下変形部２８ａ、２９ａが押圧されると、この上下変形部２８ａ、２９ａが切込溝部２８ｃ、２８ｄ、２９ｃ、２９ｄによって下側に向けて容易に撓み変形すると共に、この上下変形部２８ａ、２９ａの撓み変形に伴って前後変形部２８ｂ、２９ｂが切込溝部２８ｄ、２９ｄによって鍵７の前後方向に容易に弾性変形する。このため、上下変形部２８ａ、２９ａの下側への撓み変形が、前後変形部２８ｂ、２９ｂによって鍵７の後方への弾性変形に変換されることにより、スイッチ押圧部２７による上下方向の押圧力を確実に且つ良好に逃がすことができる。
【００８６】
また、この電子鍵盤楽器では、スイッチ部２６が、鍵７の押鍵操作に応じて、時間差をもってそれぞれスイッチ動作する第１、第２の各操作部２８、２９を備えているので、鍵７の押鍵強さ、つまり鍵７の押鍵速度に応じたスイッチ信号を得ることができ、これにより演奏に応じたリアルな楽音を放音させることができる。すなわち、第１、第２の各操作部２８、２９は、鍵７を押鍵操作した際に、鍵７のスイッチ押圧部２７によって時間をもって順次押圧される第１、第２の各操作部３０、３４を備えているので、鍵７の押鍵強さ、つまり鍵７の押鍵速度に応じたベロシティとしてのスイッチ信号を確実に且つ良好に得ることができる。
【００８７】
この場合、第１、第２の各操作部３０、３４は、鍵７のスイッチ押圧部２７によって上下方向に押圧される上下変形部２８ａ、３４ａと、この上下変形部２８ａ、３４ａによって鍵７の前後方向に弾性変形する前後変形部２８ｂ、３４ｂと、を備えているので、鍵７を押鍵操作すると、鍵７のスイッチ押圧部２７が第１操作部２８を押圧して上下変形部２８ａおよび前後変形部２８ｂを弾性変形させた後に、時間差をもって第２操作部２９を押圧して上下変形部２９ａおよび前後変形部２９ｂを弾性変形させることができる。
【００８８】
このため、第１操作部２８の前後変形部２８ｂの先端部に設けられた可動接点３１を第１、第２の各回路基板１７、２３の固定接点３２に接触させた後に、鍵７の押鍵強さ、つまり鍵７の押鍵速度に応じた時間差をもって、第２操作部２９の前後変形部２９ｂの先端部に設けられた可動接点３４を、第１、第２の各回路基板１７、２３の固定接点３５に接触させることができるので、鍵７の押鍵強さ、つまり鍵７の押鍵速度に応じたベロシティとしてのスイッチ信号を確実に且つ良好に得ることができる。
【００８９】
また、この電子鍵盤楽器では、スイッチ部２６に、押鍵操作された鍵７が上方から当接する下限ストッパ部３７が設けられているので、鍵７を押鍵操作してスイッチ部２６をスイッチ動作させた後に、鍵７を上方から下限ストッパ部３７に当接させることができ、これにより鍵７の下限位置を規制することができる。
【００９０】
この場合、下限ストッパ部３７は、スイッチ部２６と同じゴムなどの弾性を有する材料からなり、スイッチ部２６と一体に形成されているので、部品点数を削減することができると共に、スイッチ部２６と共に第１、第２の各回路基板１７、２３に取り付けることができるので、組立作業の向上を図ることができるほか、下限ストッパ３７を鍵盤シャーシ６に設ける必要がないので、鍵盤シャーシ６の構造を簡素化することができ、鍵盤シャーシ６を安価に製作することができる。
【００９１】
また、この下限ストッパ部３７は、下側に向けて装着溝３８ａが開放された断面逆凹形のレール状に形成され、この装着溝３８ａにスイッチ部２６の第１、第２の各回路基板１７、２３の各上端部がそれぞれ下方から装着することにより、第１、第２の各回路基板１７、２３の各上端部に取り付けられるように構成されているので、下限ストッパ部３７をスイッチ部２６と共に第１、第２の各回路基板１７、２３に容易に取り付けることができる。
【００９２】
これにより、第１、第２の各回路基板１７、２３に対するスイッチ部２６および下限ストッパ部３７の取付作業の向上を図ることができると共に、鍵７が押鍵操作された際に、鍵７のスイッチ押圧部２７の当接部３６が上方から下限ストッパ部３７に弾力的に当接させることができ、これにより鍵７の衝撃を吸収して鍵７を下限位置に確実に且つ良好に規制することができる。
【００９３】
さらに、この電子鍵盤楽器によれば、第１、第２の各回路基板１７、２３に複数の発光素子４０が光透過性を有する各鍵７にそれぞれ対応して設けられているので、演奏者が複数の鍵７を押鍵操作して演奏をする際に、その演奏に応じて発光素子４０を順次発光させることにより、押鍵すべき鍵７にその下側から光を照射させて押鍵すべき鍵７を順次光らせることができ、これにより演奏者が押鍵すべき鍵７を視認することができるので、演奏者が初心者であっても良好に演奏することができる。
【００９４】
（実施形態２）
次に、図８〜図１２を参照して、この発明を適用した電子鍵盤楽器の実施形態２について説明する。なお、図１〜図７に示された実施形態１と同一部分には同一符号を付して説明する。
この電子鍵盤楽器は、第１、第２の各回路基板４５、４６に鍵ガイド部４７を設けた構成であり、これ以外は実施形態１とほぼ同じ構成になっている。
【００９５】
すなわち、第１、第２の各回路基板４５、４６のうち、第１回路基板４５は、図８および図９に示すように、複数の鍵７のうち、白鍵７ａに対応して配置されるものであり、鍵盤シャーシ６に形成された白鍵用の第１基板搭載部１０に起立した状態で、実施形態１と同様に取り付けられている。第２回路基板４６は、図８および図１０に示すように、複数の鍵７のうち、黒鍵７ｂに対応して配置されるものであり、鍵盤シャーシ６に形成された黒鍵用の第２基板搭載部１１に起立した状態で、実施形態１と同様に取り付けられている。
【００９６】
この場合、第１、第２の各回路基板４５、４６の各上部には、図１１および図１２に示すように、各鍵７を上下方向にガイドする鍵ガイド部４７が各鍵７にそれぞれ対応して設けられている。すなわち、この鍵ガイド部４７は、各鍵７の内部に下側から挿入する部分であり、各鍵ガイド部４７の各両側には、スリット溝４８が第１、第２の各回路基板４５、４６の上端部から下側に向けて設けられている。
【００９７】
この鍵ガイド部４７は、図１２に示すように、鍵７の内部に挿入した部分の両側面が鍵７内の両側内面に接触した状態で上下方向に相対的に摺動することにより、鍵７を上下方向にガイドするように構成されている。この場合、鍵ガイド部４７は、第１、第２の各回路基板４５、４６をプレス加工することにより、鍵ガイド部４７の両側端が鍵７の内部に精度良く接触して摺動するように形成されている。
【００９８】
また、第１、第２の各回路基板４５、４６に設けられた複数のスリット溝４８は、鍵７の配列方向の長さである幅が、隣接する鍵７の各側部が互いに接触しない状態で挿入する程度の長さに形成されている。また、第１、第２の各回路基板４５、４６に設けられた複数のスリット溝４８は、その上下方向の長さである深さが、押鍵された鍵７が最も下側に移動した際に、鍵７の両側部の各下端部がスリット溝４８の下端部に当接しない程度の長さに形成されている。
【００９９】
また、この第１、第２の各回路基板４５、４６には、図８〜図１０に示すように、鍵７のスイッチ押圧部２７によって押圧されてスイッチ動作する複数のスイッチ部２６が設けられている。この複数のスイッチ部２６は、第１、第２の各回路基板４５、４６の前面における鍵ガイド部４７の下側に位置する箇所に配置されている。この場合にも、複数のスイッチ部２６には、下限ストッパ部３７がそれぞれ設けられている。この下限ストッパ部３７は、ビス４９によって第１、第２の各回路基板４５、４６の前面にそれぞれ取り付けられている。
【０１００】
このスイッチ部２６も、実施形態１と同様、ゴムなどの弾力を有する合成樹脂からなり、図１１および図１２に示すように、鍵７の押鍵操作に応じて、時間差をもってそれぞれスイッチ動作する第１、第２の各操作部２８、２９を備えている。この第１、第２の各操作部２８、２９も、実施形態１と同様、鍵７のスイッチ押圧部２７によって押圧されるように構成されている。
【０１０１】
すなわち、この第１、第２の各操作部２８、２９も、実施形態１と同様、鍵７のスイッチ押圧部２７によって上方から押圧された際に下側に弾性変形する上下変形部２８ａ、２９ａと、この上下変形部２８ａ、２９ａの弾性変形に伴って鍵７の前後方向に弾性変形する前後変形部２８ｂ、２９ｂと、この前後変形部２８ｂ、２９ｂを第１、第２の各回路基板４５、４６に変形可能な状態で取り付けるための連結取付部３０とを備えている。
【０１０２】
この場合にも、各前後変形部２８ｂ、２９ｂにおける第１、第２の各回路基板４５、４６の各前面に対面する先端部には、それぞれ可動接点３１、３４が設けられている。この可動接点３１、３４が対面する第１、第２の各回路基板４５、４６の前面には、実施形態１と同様、固定接点３２、３５がそれぞれ設けられている。
【０１０３】
これにより、第１、第２の各操作部２８、２９は、鍵７が押鍵操作されて鍵７のスイッチ押圧部２７によって上下変形部２８ａ、２９ａが上方から押圧されると、上下変形部２８ａ、２９ａが下側に撓み変形することにより、スイッチ押圧部２７の押圧力を逃がしながら、前後変形部２８ｂ、２９ｂが第１、第２の各回路基板４５、４６の前面に向けて変形し、これにより上下方向の押圧力を鍵７の前後方向に分散させてスイッチ動作するように構成されている。
【０１０４】
この場合、鍵ガイド部４７は、鍵７が押鍵されていない初期状態において、鍵ガイド部４７の上部が鍵７内の下部に挿入され、この状態で鍵７が押鍵されて最も下側に移動した際に、鍵ガイド部４７の上端部が鍵７内の上部下面に当接することなく、鍵７のスイッチ押圧部２７の後部に設けられた当接部３６が下限ストッパ部３７に上方から当接することにより、鍵ガイド部４７の上端部が鍵７内の上部下面から下側に少し離れた位置に配置されるように構成されている。
【０１０５】
また、第１、第２の各回路基板４５、４６のうち、第２回路基板４６は、実施形態１と同様、その下端部が鍵７の上限位置を規制する上限ストッパ部３８に構成されている。この場合にも、複数の鍵７には、図８および図１０に示すように、それぞれ位置規制部３９が各鍵７の下側に突出して設けられている。すなわち、複数の鍵７のうち、白鍵７ａには、黒鍵７ｂの前端部（図２では左端部）に位置するほぼ中間部に位置規制部３９が設けられており、黒鍵７ｂには、その前端部（図２では左端部）に位置規制部３９が設けられている。
【０１０６】
この位置規制部３９の下端部には、図８および図１０に示すように、鍵７の後方（図８では右側）に向けて突出したフック部３９ａがそれぞれ設けられている。これにより、各鍵７は、押鍵された鍵７が初期位置に戻る際に、各位置規制部３９のフック部３９ａが第２回路基板４６の下端部の上限ストッパ部３８にその下側からそれぞれ当接することにより、鍵７の上限位置をそれぞれ規制して鍵７を初期位置に規制するように構成されている。
【０１０７】
さらに、第１、第２の各回路基板４５、４７にも、実施形態１と同様、各鍵７にその下側から光を照射させための複数の発光素子４０がそれぞれ設けられている。すなわち、複数の発光素子４０も、それぞれほぼ直方体のチップ形状に形成され、その一側面である上面のみから光を発光する側面発光ダイオードであり、選択的に発光して鍵７にその下側から光を照射させて鍵７を光らせることにより、押鍵操作すべき鍵７を指示するように構成されている。
【０１０８】
このような電子鍵盤楽器においても、実施形態１と同様の作用効果があるほか、第１、第２の各回路基板４５、４６の上部に、鍵７内の両側内面に接触して摺動する複数の鍵ガイド部４７が各鍵７に対応してそれぞれ設けられているので、鍵７を押鍵操作した際に、鍵ガイド部４７によって鍵７が横振れを起こすことなく、鍵７を上下方向に円滑にガイドすることができる。
【０１０９】
このため、鍵７のスイッチ押圧部２７が第１、第２の各回路基板に設けられたスイッチ部２６を確実に押圧して良好にスイッチ動作させることができると共に、良好に演奏することができるほか、鍵ガイド４７を鍵盤シャーシ６に形成する必要がないので、鍵盤シャーシ６の構造を簡素化することができ、これによっても鍵盤シャーシ６を安価に製作することができる。
【０１１０】
また、鍵ガイド部４７は、第１、第２の回路基板４５、４６をプレス加工することによって精度良く簡単に形成することができる。このため、鍵７の内部を成形用金型で中空状に形成する際に、成形用金型における抜き勾配を形成しても、鍵ガイド部４７の両側端を鍵７の内面に接触させた状態で、上下方向に摺動させることができるので、鍵７を良好にガイドすることができる。
【０１１１】
なお、前述した実施形態２では、鍵７の下限位置を規制するための下限ストッパ部３７が、スイッチ部２６に一体に形成されている場合について述べたが、必ずしも下限ストッパ部３７をスイッチ部２６に設ける必要はなく、鍵７が押鍵されて最も下側に移動した際に、鍵７の両側部の各下端部がスリット溝４８の下端部に位置する第１、第２の各回路基板４５、４６に当接することにより、鍵７の下限位置を規制するように構成しても良い。
【０１１２】
このように構成すれば、実施形態１と同様、下限ストッパ３７を鍵盤シャーシ６に設ける必要がないので、鍵盤シャーシ６の構造を簡素化することができ、鍵盤シャーシ６を安価に製作することができるほか、スイッチ部２６に下限ストッパ部３７を設ける必要がないので、スイッチ部２６の構造が簡単になり、スイッチ部２６を容易に製作することができる。
【０１１３】
また、前述した実施形態１、２では、第１、第２の各回路基板１７、２３または４５、４６の各前面に複数のスイッチ部２６を各鍵７にそれぞれ対応させて設けた場合について述べたが、これに限らず、第１、第２の各回路基板１７、２３または４５、４６の各後面に複数のスイッチ部２６を各鍵７にそれぞれ対応させて設けた構成でも良い。このように構成しても、実施形態１、２と同様の作用効果がある。
【符号の説明】
【０１１４】
６  鍵盤シャーシ
７  鍵
７ａ  白鍵
７ｂ  黒鍵
１１  第１基板搭載部
１３  第２基板搭載部
１７、４５  第１回路基板
２３、４６  第２回路基板
２６  スイッチ部
２７  スイッチ押圧部
２８、２９  第１、第２の各操作部
２８ａ、２９ａ  上下変形部
２８ｂ、２９ｂ  変形部
３０  連結支持部
３１、３４  可動接点
３２、３５  固定接点
３７  下限ストッパ部
４０  発光素子
４７  鍵ガイド部
【図１】
2011257531.tif 000003
【図２】
2011257531.tif 000004
【図３】
2011257531.tif 000005
【図４】
2011257531.tif 000006
【図５】
2011257531.tif 000007
【図６】
2011257531.tif 000008
【図７】
2011257531.tif 000009
【図８】
2011257531.tif 000010
【図９】
2011257531.tif 000011
【図１０】
2011257531.tif 000012
【図１１】
2011257531.tif 000013
【図１２】
2011257531.tif 000014